(57)【要約】【課題】  車内風景をアレンジして変えた場合でも、忘れ物を検知したのか、車内風景の変化を検知したのか、の区別ができる車上品監視システムを提供することにある。【解決手段】  車に乗り込むときに携帯電話の第１画像撮影指示により撮影した第１画像データと、車から降りるときに携帯電話の第２画像撮影指示で撮影した第２画像データとを比較して、同一でない場合に、携帯電話での画像比較結果判断入力データに基づいて、車内風景の変化を検知する車内風景変化検知処理部と、前記携帯電話での再度の第１画像の撮影指示によって撮影された第１画像データで第１画像データベースを書き換え、第１画像データと第２画像データを一致させて、車上の置き忘れ検知を続行させる車上置き忘れ検知続行処理部を備えることを特徴とする。【選択図】      図１
2008242507.tif 000002
【特許請求の範囲】
【請求項１】
監視カメラを接続した車上品監視制御装置と端末装置とがネットワークで接続された車上品監視システムであって、
前記端末装置は、第１画像の撮影指示を行う第１撮影指示処理部と、第２画像の撮影指示を行う第２撮影指示処理部とを備え、
前記監視カメラは、前記第１画像の撮影指示に応じて第１画像を撮影する第１画像処理部と、第２画像の撮影指示に応じて第２画像を撮影する第２画像処理部を備え、
前記車上品監視制御装置は、前記端末装置から前記第１画像の撮影指示を受信して前記監視カメラに対して当該第１画像の撮影を指示し、当該監視カメラから取得した第１画像データを格納する第１画像データベースと、前記端末装置から前記第２画像の撮影指示を受信して前記監視カメラに対して当該第２画像の撮影を指示し、当該監視カメラから取得した第２画像データを格納する第２画像データベースと、前記第１画像データと前記第２画像データを比較する画像比較処理部と、前記画像比較部の画像比較結果を前記端末装置に送信する画像比較結果送信処理部と、を備えたことを特徴とする車上品監視システム。
【請求項２】
前記車上品監視制御装置は、前記端末装置において入力された画像比較結果判断入力データに基づいて、車内風景の変化を検知する車内風景変化検知処理部と、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理部を備えたことを特徴とする請求項１記載の車上品監視システム。
【請求項３】
前記端末装置は、前記車上品監視制御装置を介して、前記監視カメラの向きを移動させるパンチルノボタン指示を制御するパンチルノ調整処理部と、キーレスエントリーボタン指示で車のドアを制御するキーレスエントリー制御処理部とを備えたことを特徴とする請求項１または２記載の車上品監視システム。
【請求項４】
前記車上品監視制御装置は、車の移動を検知する加速度検知処理部と、車内への人の侵入を検知する動作検知処理部と、前記加速度検知処理部で車の移動を検知したとき、または前記動作検知処理部で車内への人の侵入を検知したときに、前記端末装置からの第２画像の撮影指示に従って、第２画像を前記監視カメラに撮影させるとともに、車上荒らしを検知する車上荒らし検知処理部を備えたことを特徴とする請求項１乃至３のいずれかに記載の車上品監視システム。
【請求項５】
監視カメラから取得した第１画像データを格納する第１画像データベースと、前記監視カメラから取得した第２画像データを格納する第２画像データベースと、前記第１画像データと第２画像データを比較する画像比較処理部と、前記画像比較部の画像比較結果を端末装置に送信する画像比較結果送信処理部と、を備えたことを特徴とする車上品監視制御装置。
【請求項６】
前記端末装置において入力された画像比較結果判断入力データに基づいて、車内風景の変化を検知する車内風景変化検知処理部と、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理部を備えたことを特徴とする請求項５記載の車上品監視制御装置。
【請求項７】
車の移動を検知する加速度検知処理部と、車内への人の侵入を検知する動作検知処理部と、前記加速度検知処理部で車の移動を検知したとき、または前記動作検知処理部で車内への人の侵入を検知したときに、前記端末装置からの第２画像の撮影指示に従って、第２画像を前記監視カメラに撮影させるとともに、車上荒らしを検知する車上荒らし検知処理部を備えたことを特徴とする請求項５または６記載の車上品監視制御装置。
【請求項８】
監視カメラから取得した第１画像データを第１画像データベースに格納するステップと、前記監視カメラから取得した第２画像データを第２画像データベースに格納するステップと、前記第１画像データと第２画像データを比較する画像比較処理ステップと、前記画像比較部の画像比較結果を端末装置に送信する画像比較結果送信処理ステップと、を含むことを特徴とする車上品監視制御方法。
【請求項９】
前記端末装置において入力された画像比較結果判断入力データに基づいて、車内風景の変化を検知する車内風景変化検知処理ステップと、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理ステップを備えたことを特徴とする請求項８記載の車上品監視制御方法。
【請求項１０】
車の移動を検知する加速度検知処理ステップと、車内への人の侵入を検知する動作検知処理ステップと、前記加速度検知処理部で車の移動を検知したとき、または前記動作検知処理部で車内への人の侵入を検知したときに、前記端末装置からの第２画像の撮影指示に従って、第２画像を前記監視カメラに撮影させるとともに、車上荒らしを検知する車上荒らし検知処理ステップを含むことを特徴とする請求項８または９記載の車上品監視制御方法。
【請求項１１】
監視カメラから取得した第１画像データを第１画像データベースに格納する処理と、前記監視カメラから取得した第２画像データを第２画像データベースに格納する処理と、前記第１画像データと第２画像データを比較する画像比較処理ステップと、前記画像比較部の画像比較結果を端末装置に送信する画像比較結果送信処理と、をコンピュータに行わせることを特徴とするプログラム。
【請求項１２】
前記車上品監視制御処理は、前記端末装置において入力された画像比較結果判断入力データに基づいて、車内風景の変化を検知する車内風景変化検知処理と、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理をコンピュータに行わせることを特徴とする請求項１１記載のプログラム。
【請求項１３】
前記車上品監視制御処理は、車の移動を検知する加速度検知処理と、車内への人の侵入を検知する動作検知処理と、前記加速度検知処理で車の移動を検知したとき、または前記動作検知処理で車内への人の侵入を検知したときに、前記端末装置からの第２画像の撮影指示に従って、第２画像を前記監視カメラに撮影させるとともに、車上荒らしを検知する車上荒らし検知処理を含むことを特徴とする請求項１１または１２記載のプログラム。
【請求項１４】
第１画像の撮影を指示する第１撮影指示処理部と、第２画像の撮影を指示する第２撮影指示処理部と、監視カメラにおいて前記第１画像の撮影の指示に応じて撮影された前記第１画像データと前記第２画像の撮影の指示に応じて撮影された第２画像データの比較結果を車上品監視制御装置から受信して表示する画像比較結果表示処理部と、を備えたことを特徴とする端末装置。
【請求項１５】
前記車上品監視制御装置を介して、前記監視カメラの向きを移動させるパンチルノボタンを制御するパンチルノ調整処理部と、キーレスエントリーボタンで車のドアを制御するキーレスエントリー制御処理部とを備えたことを特徴とする請求項１４記載の端末装置。
【発明の詳細な説明】
【技術分野】
【０００１】
本発明は、車上品監視システム、車上品監視制御装置、車上品監視制御方法、端末装置及びプログラムに関する。
【背景技術】
【０００２】
特開２００１−２８５８４２号公報には、従来の車上品監視システムが開示されている。
【０００３】
この従来の車上品監視システムは、公共機関の移動体において、乗客がこの移動体に乗り込む際にカメラで自動的に撮影した画像と、降りる際にカメラで自動的に撮影した画像とを比較して、品物等の忘れ物がないかを監視するというものである。
【０００４】
【特許文献１】特開２００１−２８５８４２号公報
【発明の開示】
【発明が解決しようとする課題】
【０００５】
しかしながら、この特開２００１−２８５８４２号公報に記載されている車上置き忘れ防止システムは、以下の２つの問題点があった。
【０００６】
第１の問題点は、この車上置き忘れ防止システムでは、乗客が移動体に乗り込むときに撮影した第１画像と降りるときに撮影した第２画像とを比較して忘れ物の有無を判断しているため、ユーザが車に乗り込んだ後に車内をアレンジして車内の風景を変化させた場合には、忘れ物を検出したのか車内の風景の変化を検出したのかの区別がつかないということである。
【０００７】
第２の問題点は、この車上置き忘れ防止システムでは、カメラでの自動撮影のタイミングが移動体に乗り込むときと降りるときに固定されているため、上記のように車内の風景を変化させた後には置き忘れ物を再度検知することができないということである。
【０００８】
本発明の目的は、車内をアレンジして車内の風景を変化させた場合にも、忘れ物を検知したのか車内の風景の変化を検知したのかの区別ができ、かつ置き忘れ物を再度検知することができる車上置き忘れ防止システムを提供することにある。
【課題を解決するための手段】
【０００９】
本発明の第１の車上品監視システムは、監視カメラを接続した車上品監視制御装置と端末装置とがネットワークで接続された車上品監視システムであって、前記端末装置は、第１画像の撮影指示を行う第１撮影指示処理部と、第２画像の撮影指示を行う第２撮影指示処理部とを備え、前記監視カメラは、前記第１画像の撮影指示に応じて第１画像を撮影する第１画像処理部と、第２画像の撮影指示に応じて第２画像を撮影する第２画像処理部を備え、前記車上品監視制御装置は、前記端末装置から前記第１画像の撮影指示を受信して前記監視カメラに対して当該第１画像の撮影を指示し、当該監視カメラから取得した第１画像データを格納する第１画像データベースと、前記端末装置から前記第２画像の撮影指示を受信して前記監視カメラに対して当該第２画像の撮影を指示し、当該監視カメラから取得した第２画像データを格納する第２画像データベースと、前記第１画像データと前記第２画像データを比較する画像比較処理部と、前記画像比較部の画像比較結果を前記端末装置に送信する画像比較結果送信処理部と、を備えたことを特徴とする。
【００１０】
本発明の第２の車上品監視システムは、第２の車上品監視システムにおいて、前記車上品監視制御装置が、前記端末装置において入力された画像比較結果判断入力データに基づいて、車内風景の変化を検知する車内風景変化検知処理部と、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理部を備えたことを特徴とする。
【００１１】
本発明の第３の車上品監視システムは、第１または第２の車上品監視システムにおいて、前記端末装置が、前記車上品監視制御装置を介して、前記監視カメラの向きを移動させるパンチルノボタン指示を制御するパンチルノ調整処理部と、キーレスエントリーボタン指示で車のドアを制御するキーレスエントリー制御処理部とを備えたことを特徴とする。
【００１２】
本発明の第４の車上品監視システムは、第１乃至第３のいずれかの車上品監視システムにおいて、前記車上品監視制御装置が、車の移動を検知する加速度検知処理部と、車内への人の侵入を検知する動作検知処理部と、前記加速度検知処理部で車の移動を検知したとき、または前記動作検知処理部で車内への人の侵入を検知したときに、前記端末装置からの第２画像の撮影指示に従って、第２画像を前記監視カメラに撮影させるとともに、車上荒らしを検知する車上荒らし検知処理部を備えたことを特徴とする。
【００１３】
本発明の第１の車上品監視制御装置は、監視カメラから取得した第１画像データを格納する第１画像データベースと、前記監視カメラから取得した第２画像データを格納する第２画像データベースと、前記第１画像データと第２画像データを比較する画像比較処理部と、前記画像比較部の画像比較結果を端末装置に送信する画像比較結果送信処理部と、を備えたことを特徴とする。
【００１４】
本発明の第２の車上品監視制御装置は、第１の車上品監視制御装置において、前記端末装置において入力された画像比較結果判断入力データに基づいて、車内風景の変化を検知する車内風景変化検知処理部と、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理部を備えたことを特徴とする。
【００１５】
本発明の第３の車上品監視制御装置は、第１または第２の車上品監視制御装置において、車の移動を検知する加速度検知処理部と、車内への人の侵入を検知する動作検知処理部と、前記加速度検知処理部で車の移動を検知したとき、または前記動作検知処理部で車内への人の侵入を検知したときに、前記端末装置からの第２画像の撮影指示に従って、第２画像を前記監視カメラに撮影させるとともに、車上荒らしを検知する車上荒らし検知処理部を備えたことを特徴とする。
【００１６】
本発明の第１の車上品監視制御方法は、監視カメラから取得した第１画像データを第１画像データベースに格納するステップと、前記監視カメラから取得した第２画像データを第２画像データベースに格納するステップと、前記第１画像データと第２画像データを比較する画像比較処理ステップと、前記画像比較部の画像比較結果を端末装置に送信する画像比較結果送信処理ステップと、を含むことを特徴とする。
【００１７】
本発明の第２の車上品監視制御方法は、第１の車上品監視制御方法において、前記端末装置において入力された画像比較結果判断入力データに基づいて、車内風景の変化を検知する車内風景変化検知処理ステップと、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理ステップを備えたことを特徴とする。
【００１８】
本発明の第３の車上品監視制御方法は、第１または第２の車上品監視制御方法において、車の移動を検知する加速度検知処理ステップと、車内への人の侵入を検知する動作検知処理ステップと、前記加速度検知処理部で車の移動を検知したとき、または前記動作検知処理部で車内への人の侵入を検知したときに、前記端末装置からの第２画像の撮影指示に従って、第２画像を前記監視カメラに撮影させるとともに、車上荒らしを検知する車上荒らし検知処理ステップを含むことを特徴とする。
【００１９】
本発明の第１のプログラムは、監視カメラから取得した第１画像データを第１画像データベースに格納する処理と、前記監視カメラから取得した第２画像データを第２画像データベースに格納する処理と、前記第１画像データと第２画像データを比較する画像比較処理ステップと、前記画像比較部の画像比較結果を端末装置に送信する画像比較結果送信処理と、をコンピュータに行わせることを特徴とする。
【００２０】
本発明の第２のプログラムは、第１のプログラムにおいて、前記車上品監視制御処理が、前記端末装置において入力された画像比較結果判断入力データに基づいて、車内風景の変化を検知する車内風景変化検知処理と、前記端末装置からの再度の第１画像の撮影指示によって撮影された第１画像データで第１画像データベースを書き換え、第１画像データと第２画像データを一致させて、車上の置き忘れ検知を続行させる車上置き忘れ検知続行処理をコンピュータに行わせることを特徴とする。
【００２１】
本発明の第３のプログラムは、第１または第２のプログラムにおいて、前記車上品監視制御処理が、車の移動を検知する加速度検知処理と、車内への人の侵入を検知する動作検知処理と、前記加速度検知処理で車の移動を検知したとき、または前記動作検知処理で車内への人の侵入を検知したときに、前記端末装置からの第２画像の撮影指示に従って、第２画像を前記監視カメラに撮影させるとともに、車上荒らしを検知する車上荒らし検知処理を含むことを特徴とする。
【００２２】
本発明の第１の端末装置は、第１画像の撮影を指示する第１撮影指示処理部と、第２画像の撮影を指示する第２撮影指示処理部と、監視カメラにおいて前記第１画像の撮影の指示に応じて撮影された前記第１画像データと前記第２画像の撮影の指示に応じて撮影された第２画像データの比較結果を車上品監視制御装置から受信して表示する画像比較結果表示処理部と、を備えたことを特徴とする。
【００２３】
本発明の第２の端末装置は、第１の端末装置において、前記車上品監視制御装置を介して、前記監視カメラの向きを移動させるパンチルノボタンを制御するパンチルノ調整処理部と、キーレスエントリーボタンで車のドアを制御するキーレスエントリー制御処理部とを備えたことを特徴とする。
【発明の効果】
【００２４】
本発明は、車内をアレンジして車内の風景を変化させた場合にも、忘れ物を検知したのか車内の風景の変化を検知したのかの区別ができ、かつ置き忘れ物を再度検知することができる車上置き忘れ防止システムを提供することにある。
【００２５】
その理由は、乗客が移動体に乗り込むときに撮影したベースになる第１画像データと、車から降りるときに撮影した第２画像データとを比較して、違いがあった場合に、ユーザによる携帯電話の第１画像撮影ボタンの押下によって、撮影された車内風景の変化後の画像で上記第１画像データが書き換えることにより、第２画像データを第１画像データと一致させることで、置き忘れ物を検知したのか、車内風景の変化を検知したのかの区別ができ、かつ置き忘れ物を再度検知することができるようにしたからである。
【発明を実施するための最良の形態】
【００２６】
次に、本発明を実施するための最良の形態について図面を参照して詳細に説明する。
【００２７】
図１を参照すると、本発明の第１の実施の形態である車上品の置き忘れを防止するための車上品監視システムの全体構成図が示されている。
【００２８】
本発明の携帯電話を利用した車上品監視システムは、端末装置（本実施の形態では「携帯電話」とする）１００、監視カメラ３００、車上品監視制御装置２００から構成されている。
【００２９】
監視カメラ３００は車上品監視制御装置２００に接続されている。
【００３０】
携帯電話１００と車上品監視制御装置２００はインターネット４００を経由して接続されている。
【００３１】
監視カメラ３００は、ユーザが所有する車内に設置された監視用のカメラで、プロセッサ、主記憶装置等を含んでプログラム制御により動作し、監視カメラ３００の全体の制御を行うデータ処理部３１０と、車上品監視制御装置を経由し、携帯電話１００上のボタン押下により車内の風景の第１画像を撮影する第１画像処理部３２０と、携帯電話１００上のボタン押下により車内の風景の第２画像を撮影する第２画像処理部３３０と、車上品の置き忘れ等の監視制御を行う車上品監視制御装置２００とのインタフェース（例えば、ＵＳＢインタフェース）を介してデータの送受信を制御する送受信処理部３４０とから構成されている。
【００３２】
第１画像処理部３２０は、車上品監視制御装置を経由した携帯電話１００上のボタンからの撮影指示を受信する第１の撮影指示受信処理部３２１と、監視カメラ３００で撮影を実行する第１の撮影実行処理部３２２と、撮影した画像を保存できる形式に加工して記録する第１の撮影記録部３２３とから構成されている。
【００３３】
また、第２画像処理部３３０は、車上品監視制御装置を経由した携帯電話１００上のボタンからの撮影指示を受信する第２の撮影指示受信処理部３３１と、監視カメラ３００で撮影を実行する第２の撮影実行処理部３３２と、撮影した画像を保存できる形式に加工して記録する第２の撮影記録部３３３とから構成されている。
【００３４】
携帯電話１００は、プロセッサ、主記憶装置等を含んでプログラム制御により動作し、携帯電話１００の全体の制御を行うデータ処理部１０１と、データの送受信を制御する送受信処理部１０５と、携帯電話１００上の写真撮影ボタンと第１画像撮影ボタンが押下されたときに、車上品監視制御装置を経由し、監視カメラ３００に対して第１画像の撮影を指示する第１画像撮影指示処理部１０２と、携帯電話１００の写真撮影ボタンと第２画像撮影ボタンが押下されたときに、車上品監視制御装置を経由し、監視カメラ３００に対して第２画像の撮影を指示する第２画像撮影指示処理部１０３と、車上品監視制御装置２００での画像比較結果を受信して、携帯電話１００の画面上に表示する画像比較結果表示処理部１０４と、画像比較結果に基づいて、車上に品物を置き忘れたと判断する旨の入力データ、または元の第１画像データと第２画像データが不一致であったことの理由を車上への物品の置き忘れではなく、車内風景の変化であると判断する旨の入力データを処理する画像比較結果判断入力処理部１１０から構成されている。
【００３５】
車上品監視制御装置２００は、プロセッサ、主記憶装置等を含んでプログラム制御により動作し、車上品監視制御装置２００の全体の制御を行うデータ処理部２０１と、監視カメラ３００とのインタフェースを介してデータの送受信を制御する第１送受信処理部２０８と、インターネット４００とのデータの送受信を制御する第２送受信処理部２１６と、監視カメラ３００で撮影された第１画像データを格納する第１画像データベース２０９と、監視カメラ３００で撮影された第２画像データを格納する第２画像データベース２１０と、例えばユーザが車から降りたときに車内を撮影した第２画像データと例えばユーザが車に乗り込むときに撮影された第１画像を比較する画像比較処理部２０２と、この比較結果を携帯電話１００に送信する画像比較結果送信処理部２０３と、第１画像データと第２画像データが一致していないときに、前記携帯電話での画像比較結果判断入力データに基づいて、車上への物品の置き忘れを検知する車上置き忘れ検知処理部２０４と、前記第１画像データと第２画像データが一致していないときに、前記携帯電話での画像比較結果判断入力データに基づいて、
元の第１画像データと第２画像データとが不一致であったことの理由を車上への物品の置き忘れではなく、車内風景の変化として検知する車内風景変化検知処理部２０５と、前記携帯電話での再度の第１画像の撮影指示によって撮影された第１画像データで第１画像データベースを書き換え、第１画像データと第２画像データを一致させて、車上の置き忘れ検知を続行させる車上置き忘れ検知続行処理部２２０から構成されている。
【００３６】
図３を参照すると、監視カメラ３００の外観図の１例が示されている。
【００３７】
監視カメラ３００が車の天井部分に設置されている。
【００３８】
図４を参照すると、携帯電話１００の外観図が示されている。
【００３９】
携帯電話１００の操作面上に、写真撮影ボタンが示されている。
【００４０】
また、写真撮影ボタンが押された後の携帯電話１００の画面が示されており、第１画像撮影ボタンか第２撮影ボタンの選択を行う撮影画像選択画面が示されている。
【００４１】
図５を参照すると、第１画像データベース２０９、第２画像データベース２１０の１例が示されている。
【００４２】
図８を参照すると、本発明の第１の実施の形態である携帯電話を利用した車上品の置き忘れを防止するための車上品監視システムの動作のフローチャートが示されている。
【００４３】
次に、本発明の一実施の形態について、図８のフォローチャートを用いて、車上品の置き忘れ物を防止するための車上品監視システムの動作について、説明する。
【００４４】
まず、携帯電話１００の写真撮影ボタン、第１画像撮影ボタンの押下によって、乗車する前の初期状態にするための第１画像の撮影指示が送受信処理部１０５を介して送信される（ステップＳ７００）。
【００４５】
監視カメラ３００の第１画像処理部３２０内の第１の撮影指示受信処理部３２１は、携帯電話１００の写真撮影ボタン、第１画像ボタンの押下に応じて、携帯電話１００の送受信処理部１０５と、車上品監視制御装置２００の第２送受信処理部２１６と、車上品監視制御装置２００の第１送受信処理部２０８、及び監視カメラ３００の送受信処理部３４０の制御により、携帯電話１００の第１画像撮影指示処理部１０２からの第１画像撮影指示を受信する（以下、携帯電話１００と監視カメラ間のデータ送信は、携帯電話１００の送受信処理部１０５と、車上品監視制御装置２００の第２送受信処理部２１６と、車上品監視制御装置２００の第１送受信処理部２０８、及び監視カメラ３００の送受信処理部３４０経由で行われるものとする）。
【００４６】
尚、監視カメラ３００をインターネットに接続してインターネットカメラとし、携帯電話１００と監視カメラ間のデータ送信をインターネット経由で行なうように構成してもよい。
【００４７】
この第１画像撮影指示により、撮影が第１の撮影実行処理部３２２で実行され、この撮影された第１画像が第１の撮影記録部３２３に保存される（ステップＳ７０１）。
【００４８】
この保存された第１画像データは送受信処理部３４０を経由して、車上品監視制御装置２００の第１送受信処理部２０８へ送信され、データ処理部２０１の制御により第１画像データベース２０９に格納される（ステップＳ７０３）。
【００４９】
次に、ユーザが車から降りるときに、ユーザによる携帯電話１００の写真撮影ボタン、第２画像撮影ボタンの押下によって、ユーザが車から降りるときの車内状態である第２画像の撮影指示が携帯電話１００の第２画像撮影指示処理部１０３によって出される（ステップＳ７０２）。
【００５０】
監視カメラ３００の第２画像処理部３３０内の第２の撮影指示受信処理部３３１は、携帯電話１００の写真撮影ボタン、第２画像ボタンの押下に応じて、車上品監視制御装置２００を経由し、携帯電話１００の第２画像撮影指示処理部１０３からの第２画像撮影指示を受信する。
【００５１】
この第２画像撮影指示により、第２の撮影実行処理部３３２で撮影が実行され、この撮影された第２画像が第２の撮影記録部３３３に保存される（ステップＳ７０４）。
【００５２】
この保存された第２画像データは送受信処理部３４０を経由して、車上品監視制御装置２００の第１送受信処理部２０８へ送信されて、データ処理部２０１の制御により第２画像データベース２１０に格納される（ステップＳ７０５）。
【００５３】
次に、車上品監視制御装置２００の画像比較処理部２０２は、車に乗る前の車内状況である第１画像データベース２０９に格納されている第１画像データと車から降りるときの車内状況である第２画像データベース２１０に格納されている第１画像データを比較する（ステップＳ７０６）。
【００５４】
第１画像データと第２画像データが同一である場合には、車上品に異常がみられないと判断して正常終了する。
【００５５】
一方  第１画像データと第２画像データが異なる場合には、この画像比較結果を携帯電話１００へ送信する（ステップＳ７０７）。
【００５６】
携帯電話１００はこの画像比較結果を受信すると（ステップＳ７０８）、現在の車内風景をベースにするか否かを選択する旨の情報を画像比較結果判断入力データ処理部１１０が入力する（ステップＳ７０９）。
【００５７】
現在の車内風景をベースにすることを選択する旨の情報を入力した場合には、車内風景変化検知処理部２０５で車内風景の変化があったことが検知され、ユーザによる携帯電話１００の写真撮影ボタン、第１画像撮影ボタンの押下に応じて、現在の車内風景をベースにするために第１画像の再度の撮影指示が出される（ステップＳ７１０）。
【００５８】
監視カメラ３００の第１画像処理部３２０内の第１の撮影指示受信処理部３２１は、携帯電話１００の写真撮影ボタン、第１画像ボタンの押下に応じて、車上品監視制御装置２００を経由し、携帯電話１００の第１画像撮影指示処理部１０２からの第１画像撮影指示を受信する。
【００５９】
この第１画像撮影指示により、撮影が第１の撮影実行処理部３２２にて実行され、この撮影された第１画像が第１の撮影記録部３２３に保存される（ステップＳ７１３）。
【００６０】
この保存された第１画像データは送受信処理部３４０を経由して、車上品監視制御装置２００の第１送受信処理部２０８へ送信され、データ処理部２０１の制御により第１画像データベース２０９に上書きして、格納される（ステップＳ７１４）。
【００６１】
このように、第１画像データと第２画像データを一致させて、引き続いて車上の置き忘れ検知を車上置き忘れ検知続行処理部２２０で続行させる。
【００６２】
現在の車内風景をベースにしないことを選択する旨の情報が画像比較結果判断入力データ処理部１１０で入力された場合には、車上置き忘れ検知処理部２０４により品物の置き忘れがあると検知され（ステップＳ７１１）、ユーザにより車内の忘れ物が片付けられた旨の情報が画像比較結果判断入力データ処理部１１０で入力された場合には、携帯電話１００の写真撮影ボタン、第２画像撮影ボタンの押下による撮影指示により、第２画像データが上書き保存される（ステップＳ７０４）。
【００６３】
その後、置き忘れがなくなるまで、車上置き忘れ検知続行処理部２２０の制御により、ステップＳ７０６、ステップＳ７０７、ステップＳ７０８、ステップＳ７０９、ステップＳ７１１、ステップＳ７１２が繰り返される。
【００６４】
以上により、本発明の第１の実施の形態の動作が完了する。
【００６５】
本発明の第１の実施の形態においては、車内をアレンジして車内の風景を変化させた場合にも、忘れ物を検知したのか車内の風景の変化を検知したのかの区別ができ、かつ置き忘れ物を再度検知することができるという効果がある。
【００６６】
図２を参照すると、本発明の第２の実施の形態である車上品の置き忘れ、及び車上荒らしを防止するための車上品監視システムの全体構成図が示されている。
【００６７】
本発明の携帯電話を利用した車上品の置き忘れ、及び車上荒らしを防止するための車上品監視システムは、端末装置（本実施の形態では「携帯電話」とする）１００、監視カメラ３００、車上品監視制御装置２００から構成されている。
【００６８】
監視カメラ３００は車上品監視制御装置２００に接続されている。
【００６９】
携帯電話１００と車上品監視制御装置２００はインターネット４００を経由して接続されている。
【００７０】
監視カメラ３００は、本発明の第１の実施の形態である携帯電話を利用した車上品の置き忘れを防止するための車上品監視システム内の監視カメラと同一の構成である。
【００７１】
携帯電話１００は、本発明の第１の実施の形態である携帯電話を利用した車上品の置き忘れを防止するための車上品監視システム内の携帯電話と同一の構成に加えて、ユーザによる携帯電話１００のパンチルノボタンの押下に応じて、監視カメラ３００の向きを水平方向（パン）と垂直方向（チルノ）に変えるパンチルノ調整処理部１０７と、ユーザによる携帯電話１００のキーレスエントリーボタンの押下に応じて、自動車のドアロック／アンロックの処理を行うキーレスエントリー制御処理部１０８と、車上品監視制御装置２００からの盗難通報メールを受信する障害通報受信処理部１０６から構成されている。
【００７２】
車上品監視制御装置２００は、本発明の第１の実施の形態である携帯電話を利用した車上品の置き忘れを防止するための車上品監視システム内の車上品監視制御装置と同一の構成に加えて、停車した場所から車を移動しようとするとセンサーが働き盗難があったと判断する加速度センサーである加速度検知処理部２１４と、車内に不審者が進入したら自動的に働くセンサーからなる動作検知処理部２１５と、車が移動していることを加速度センサーで検知したときに、携帯電話１００の第２画像撮影ボタンの押下により、監視カメラ３００で第２画像データを撮影して、車上の貴重品が荒らさせているかを検知する車上荒らし検知処理部２０６と、第１画像データと第２画像データが同じであれば安全色（例えば緑）、違うときは警告色（例えば赤）のライトを点灯させると共に、２つの画像データを比較した後に、第１画像を変える指示があった場合に警告色を消す機能を有するライト制御処理部２１１と、安全色ライトがついたとき、もしくはユーザがライフスタイルに合わせて車内の様々なオブジェを置き車内をアレンジした等のときに、第１画像の上書きをしたとき、はじめてドアロックがかけられる機能を実現するキーレスエントリー制御処理部２１２と、ユーザにより携帯電話１００のパンチルノボタンが押下されたときに監視カメラ３００の向きを水平方向（パン）と垂直方向（チルノ）に変えるパンチルノ制御処理部２１３と、監視カメラ３００が携帯電話１００に対し、車上荒らしがあった場合に「受付日」、「撮影時間」、「撮影画像」を盗難通報として送信する障害通報発信処理部２０７から構成されている。
【００７３】
図３を参照すると、監視カメラ３００の外観図の１例が示されている。
【００７４】
監視カメラ３００が車の天井部分に設置されている。
【００７５】
図４を参照すると、携帯電話１００の外観図が示されている。
【００７６】
携帯電話１００の操作面上に、写真撮影ボタンとキーレスエントリーボタンとパンチルノボタンが示されている。
【００７７】
また、写真撮影ボタンが押された後の携帯電話１００の画面が示されており、第１画像撮影ボタンか第２撮影ボタンの選択を行う撮影画像選択画面が示されている。
【００７８】
図５を参照すると、第１画像データベース２０９、第２画像データベース２１０の１例が示されている。
【００７９】
図６を参照すると。車の盗難があった場合の盗難通報メールの１例が示されている。
【００８０】
図７を参照すると。車上荒らしがあった場合の盗難通報メールの１例が示されている。
【００８１】
図９、図１０を参照すると、本発明の第２の実施の形態である携帯電話を利用した車上品の置き忘れ、及び車上荒らしを防止するための車上品監視システムの動作のフローチャートが示されている。
【００８２】
次に、本発明の第２の実施の形態である携帯電話を利用した車上品の置き忘れ、及び車上荒らしを防止するための車上品監視システムについて、図９のフローチャートを用いて、車上での品物の置き忘れを防止する動作について、説明する。
【００８３】
図９のフローチャートで、ステップＳ７００〜ステップＳ７１４までは本発明の第１の実施の形態である携帯電話を利用した車上品の置き忘れを防止するための車上品監視システムのフローチャートである図８のステップＳ７００〜ステップＳ７１４と同じである。
【００８４】
第１画像データと第２画像データとの比較で（ステップＳ７０６）、第１画像データと第２画像データが同一の場合には、車上品に異常が検知されず正常であることを示す安全色（例えば緑）のライトを点灯させる（ステップＳ７２１）。
【００８５】
その後、監視カメラ３００のデータ処理部３１０は、車上品監視制御装置２００を経由し、携帯電話１００からのドアロック指示を受信し（ステップＳ７２５）、安全色を消灯させ、駐車ができる処理を完了する（ステップＳ７２６）。
【００８６】
一方、第１画像データと第２画像データが異なる場合には、車上品監視制御装置２００のライト制御処理部２１１は、車上品が異常な状態であることを示す警告色（例えば赤）のライトを点灯させる（ステップＳ７２２）。
【００８７】
警告色の点灯を受けてからの携帯電話１００の処理は本発明の第１の実施の形態である携帯電話を利用した車上品の置き忘れを防止するための車上品監視システムの処理と同一である。
【００８８】
また、携帯電話１００のキーレスエントリー制御処理部１０８は、ユーザによる携帯電話１００のキーレスエントリーボタンの押下されたときに、警告色のライトが点灯していない場合にのみ、ドアロックの指示を出して処理を完了させる（ステップＳ７２３、ステップＳ７２３）。
【００８９】
次に、図１０のフローチャートを用いて、車上品の車上荒らしを防止する動作について、説明する。
【００９０】
車が駐車している間に、車上品監視制御装置２００の加速度検知処理部２１４と動作検知処理部２１５により、車内の監視と、異常が検知されたかのチェックが行われる（ステップＳ８００、ステップＳ８０１）。
【００９１】
レッカー車に乗せられて車が盗難されようとしている異常が検知された場合には、加速度検知処理部２１４が作動され（ステップＳ８０２）、車上品監視制御装置２００の障害通報発信処理部２０７は、図５で示されるような車上盗難通報として、盗難があった旨を携帯電話１００の障害通報受信処理部１０６へ送信する（ステップＳ８０４）。
【００９２】
車内に不審者が進入したら自動的に働くセンサーで、異常が検知された場合には、動作検知処理部２１５が作動され（ステップＳ８０３）、車上品監視制御装置２００の障害通報発信処理部２０７は、図８で示されるような車上荒らし通報として、盗難があった旨を携帯電話１００の障害通報受信処理部１０６へ送信する（ステップＳ８０４）。
【００９３】
携帯電話１００の障害通報受信処理部１０６は、この盗難通報を受信する（ステップＳ８０５）。
【００９４】
次に、ユーザによる携帯電話１００の写真撮影ボタン、第２画像撮影ボタンの押下によって、第２画像の撮影指示が出される（ステップＳ８０６）。
【００９５】
監視カメラ３００の第２画像処理部３３０は、撮影指示受信処理部３３１で携帯電話１００からの第２画像の撮影指示を受信し、撮影実行処理部３３２で撮影を実行した後、第２画像データを撮影記録部３３３に保存する（ステップＳ８０７）。
【００９６】
この保存された第２画像データは車上品監視制御装置２００へ送信されて、第２画像データベース２１０に格納される（ステップＳ８０８）。
【００９７】
続いて、車上品監視制御装置２００の画像比較処理部２０２は、第１画像データと第２画像データを比較する（ステップＳ８０９）。
【００９８】
第１画像データと第２画像データが異なる場合には、車上品監視制御装置２００の車上荒らし検知処理部２０６は、車上荒らしがあったことを検知する（ステップＳ８１０）。
【００９９】
この後、車上品監視制御装置２００のデータ処理部２０１は、画像比較結果を携帯電話１００へ送信する（ステップＳ８１１）。
【０１００】
ユーザにより車内の様子が確認され（ステップＳ８１２）、車上荒らしと判明した場合に、警察に通報する（ステップＳ８１３）。
【０１０１】
以上により、本発明の第２の実施の形態の動作が完了する。
【０１０２】
本発明の第２の実施の形態においては、車内をアレンジして車内の風景を変化させた場合にも、忘れ物を検知したのか車内の風景の変化を検知したのかの区別ができ、かつ置き忘れ物を再度検知することができるという効果があると共に、車上荒らしがあったことを検知し、警察に通報し、犯罪の防止に有効な車上置き忘れ、車上荒らし防止システムを提供することができるという効果がある。
【図面の簡単な説明】
【０１０３】
【図１】本発明の第１の実施の形態である携帯電話を利用した車上品監視システムの全体構成図である。
【図２】本発明の第２の実施の形態である携帯電話を利用した車上品の置き忘れ、及び車上荒らしを防止するための車上品監視システムの全体構成図である。
【図３】本発明の第１または第２の実施の形態における監視カメラ３００の外観を示す図である。
【図４】本発明の第１または第２の実施の形態における携帯電話１００の外観を示す図である。
【図５】本発明の第１または第２の実施の形態における第１画像データベース２０９、第２画像データベース２１０の例を示す図である。
【図６】本発明の第２の実施の形態における車の盗難があった場合の盗難通報メールの例を示す図である。
【図７】本発明の第２の実施の形態における車上荒らしがあった場合の盗難通報メールの例を示す図である。
【図８】本発明の第１の実施の形態である携帯電話を利用した車上品監視システムの動作のフローチャートである。
【図９】本発明の第２の実施の形態である携帯電話を利用した車上品の置き忘れ、及び車上荒らしを防止するための車上品監視システムの動作のフローチャート（１／２）である。
【図１０】本発明の第２の実施の形態である携帯電話を利用した車上品の置き忘れ、及び車上荒らしを防止するための車上品監視システムの動作のフローチャート（２／２）である。
【符号の説明】
【０１０４】
１００    携帯電話
１０１    データ処理部
１０２    第１画像撮影指示処理部
１０３    第２画像撮影指示処理部
１０４    画像比較結果表示処理部
１０５    送受信処理部
１０６    障害通報受信処理部
１０７    パンチルノ調整処理部
１０８    キーレスエントリー制御処理部
１１０    画像比較結果判断入力データ処理部
２００    車上品監視制御装置
２０１    データ処理部
２０２    画像比較処理部
２０３    画像比較結果送信処理部
２０４    車上置き忘れ検知処理部
２０５    車内風景変化検知処理部
２０６    車上荒らし検知処理部
２０７    障害通報発信処理部
２０８    第１送受信処理部
２０９    第１画像データベース
２１０    第２画像データベース
２１１    ライト制御処理部
２１２    キーレスエントリー制御処理部
２１３    パンチルノ制御処理部
２１４    加速度検知処理部
２１５    動作検知処理部
２１６    第２送受信処理部
２２０    車上置き忘れ検知続行処理部
３００    監視カメラ
３１０    データ処理部
３２０    第１画像処理部
３２１    撮影指示受信処理部
３２２    撮影実行処理部
３２３    撮影記録部
３３１    撮影指示受信処理部
３３２    撮影実行処理部
３３３    撮影記録部
３４０    送受信処理部
４００    インターネット
【図１】
2008242507.tif 000003
【図２】
2008242507.tif 000004
【図３】
2008242507.tif 000005
【図４】
2008242507.tif 000006
【図５】
2008242507.tif 000007
【図６】
2008242507.tif 000008
【図７】
2008242507.tif 000009
【図８】
2008242507.tif 000010
【図９】
2008242507.tif 000011
【図１０】
2008242507.tif 000012